(57)【要約】      （修正有） 【課題】被災時においても生活用水（飲料水等）を確保すると共にラジオ等による災害情報やその後の関連情報を早く知り得るようにした濾過器付き雨水発電装置を、また設置費の安い濾過器付き雨水発電装置を提供する。【解決手段】屋根に降った雨水を下方に流すための竪樋１４に水車１６を設け流下する雨水により発電機３４を駆動して発電すると共に濾過器４８を設け、樋内を流下する雨水の一部もしくは全部を取り出し濾過することにより飲用可能とした濾過器付き雨水発電装置であって、濾過器４８は自身の底部内側に所定高さの網状部材を設けその上に濾紙を配置し、さらにその上部に所定高さの木灰の層を設け、さらにまたその上部には所定高さの枯葉の層を設けてなり、上部から注入された雨水が前記各層を通り、濾過されるようした濾過器付き雨水発電装置を構成した。【選択図】図１
0003205470.tif 000002
【実用新案登録請求の範囲】
【請求項１】
屋根に降った雨水を下方に流すための竪樋に発電機を設け樋内を流下する雨水により発電可能とすると共に濾過器を設け、樋内を流下する雨水の一部もしくは全部を取り出し濾過することにより飲用可能とした濾過器付き雨水発電装置。
【請求項２】
請求項１記載の濾過器付き雨水発電装置において、濾過器は自身の底部内側に所定高さの網状部材を設けその上に濾紙を配置し、さらにその上部に所定高さの草木灰の層を設け、さらにまたその上部には所定高さの枯葉の層を設けてなり、上部から注入された雨水が前記各層を通り、濾紙を経て濾過されるようにした濾過器付き雨水発電装置。
【請求項３】
請求項２記載の濾過器付き雨水発電装置において、濾過器は草木灰の層と枯葉の層との間および枯葉の層の上部に所定メッシュ目のメッシュ材を配置するようにした濾過器付き雨水発電装置。
【請求項４】
請求項１〜３のいずれか１項に記載の濾過器付き雨水発電装置において、草木灰の層に代えて活性炭素の層を設け、さらに枯葉の層に代えて粒状・スティック状もしくはリング状のセラミックの層あるいはその他の塊状のセラミックの層を設けるようにした濾過器付き雨水発電装置。
【考案の詳細な説明】
【技術分野】
【０００１】
本考案は雨水発電装置に関するものであり、特に雨水の飲料用濾過器
を併設した濾過器付き雨水発電装置に関するものである。
【背景技術】
【０００２】
従来より雨水を利用する発電装置として、特開２００３−５６４４１公報（特許文献１）、特開２０１１−１７１９６号公報（特許文献２）および特開２０１３−１１７１４９号公報（特許文献３）等に記載された発明（技術）か提案されている。
ところで、被災時には特に生活用水（飲料水等）を確保することや、ラジオ等による災害情報を早く知り得ることが望まれている。
上記特許文献についてみれば、特許文献３には雨水利用により発電した電気の一部を蓄電器２１に充電することができるので、停電時にもこれをラジオの電源として使用し、災害時やその後の関連した情報を知ることができる。 一方、特許文献１，２には、雨樋から入り水力発電装置に向かった雨水の全量が流れる管路にフィルタが設けられているが、このフィルタは雨水中の大まかなごみを除去するための目の粗い網のようなものであり、飲料用のフィルタ（濾過装置）ではなものと解される。というのは、飲料用濾過装置は一般に目が細かく流体抵抗が大きいので、管路内の雨水全量を濾過するとなると流体抵抗が大きくて流れを阻害し、発電に支障を来すことになるからであり、また水力発電装置の水車を回転させるためだけに飲料水用ほどに濾過する必要はない筈である。また、上記各特許文献には、雨水の飲料用の濾過について何らの言及もなく、示唆もない。
従って、上記各特許文献記載の技術に基づき、ラジオ等を使用し災害時やその後の関連した情報を知ることができるものの、生活用水（飲料水）を確保することは困難であるという問題点がある。また、特許文献２記載の雨水発電装置は高所に雨水の一時貯留用タンク２を設け、適時雨水を流下して発電するものであり、地震の耐震性等を考慮してタンク支持構造を頑丈に作らなければならないので設置費が高くなるという問題点がある。
【先行技術文献】
【特許文献】
【０００３】
【特許文献１】特開２００３−５６４４１
【特許文献２】特開２０１１−１７１９６
【特許文献３】特開２０１３−１１７１４９
【考案の概要】
【考案が解決しようとする課題】
【０００４】
本考案の解決すべき課題は、従来の雨水発電装置では生活用水（飲料水）を確保することは困難であるということであり、また高所に雨水貯留タンクを設けるタイプのものでは工費が高くなるということである。本考案はこのような課題の解決を目的とするものである。すなわち、被災時においても生活用水（飲料水等）を確保すると共にラジオ等による災害情報やその後の関連情報を早く知り得るようにした濾過器付き雨水発電装置を提供することであり、また設置費があまりかからない濾過器付き雨水発電装置を提供することである。
【課題を解決するための手段】
【０００５】
このような目的を達成するためになされた本考案は、次のように構成される。
Ａ  屋根に降った雨水を下方に流すための竪樋に発電機を設け樋内を流下する雨水により発電可能とすると共に濾過器を設け、樋内を流下する雨水の一部もしくは全部を取り出し濾過することにより飲用可能とした濾過器付き雨水発電装置。
B  Ａ項記載の濾過器付き雨水発電装置において、濾過器は自身の底部内側に所定高さの網状部材を設けその上に濾紙を配置し、さらにその上部に所定高さの草木灰の層を設け、さらにまたその上部には所定高さの枯葉の層を設けてなり、上部から注入された雨水が前記各層を通り、濾紙を経て濾過されるようにした濾過器付き雨水発電装置。
C Ｂ項記載の濾過器付き雨水発電装置において、 濾過器は草木灰の層と枯葉の層との間および枯葉の層の上部に目の粗い所定メッシュ目のメッシュ材を配置するようにした濾過器付き雨水発電装置。
D  Ａ項〜Ｃ項のいずれか１項に記載の濾過器付き雨水発電装置において、草木灰の層に代えて活性炭素の層を設け、さらに枯葉の層に代えて粒状・スティック状もしくはリング状のセラミックの層あるいはその他の塊状のセラミックの層を設けるようにした濾過器付き雨水発電装置。
ここで、「草木灰」とは木灰と草灰との混合したものに限らず、木灰だけのものや草灰だけのものも含むものである。
【考案の効果】
【０００６】
本考案は上述のように構成されているので、次に記載する効果を奏する。
発電装置自身に設けた濾過器により災害時には降雨の際に生活用水（飲料水）を確保することができるという利点がある。発電装置自身で発生した電力でラジオ等を使用し災害時やその後の関連した情報を知り得る利点がある。また、草木灰を使用することにより、酸性雨を中和することができるという利点がある。さらに、雨水貯留用タンクを設けのないので、構造簡単で工費が易くなるという利点がある。
【図面の簡単な説明】
【０００７】
【図１】本考案の実施例を示す一部を破断した正面図である。
【図２】（イ）は同実施例の一部を破断した左側面図、（ロ）は同図におけるＡ−Ａ断面図である。
【図３】（イ）は同実施例に使用する一部品の一部破断平面図、（ロ）は同部品の一部破断正面図である。
【考案を実施するための形態】
【０００８】
以下本考案の実施例を記載した図面に基づいて、考案の実施の形態を詳細に説明する。
本考案の濾過器付き雨水発電装置は図１、図２に示すように構成される。同図において、１０，１２は屋根に降った雨水を横方向に送るための樋であり、それぞれの末端は縦樋１４の上端部側に開口され、雨水を下方に流下するようにされている。ここでは縦樋１４は略四角形をなしているが、下端部は発電用水車１６を設置するため横幅、奥行きとも大きくされた水車収容部１８が形成されている。水車１６は片面側に凹部を有する複数のバケット２０が、円形のリム状部２２の外周に取付られると共にその中心部には軸２４が一体的に取り付けられ、軸２４の両端部はそれぞれ軸受２６，２８により回転可能に支持されている。
【０００９】
軸２４の他端部はカップリング（軸連結用部材）３０により直流発電機３４連結され、水車１６の回動時には直流の発電が可能とされている。なお、軸受２６，２８や発電機３４等は基台３６上に設けた基板としての鉄板３８に取り付けられている。４０は水車１６の回動に使用された後の雨水の排出溝であり、かつ水車１６の回動に支障を来さないにようにその下端部がはまり得る空間部である。従って、基台３６の上面は地面よりある程度高くして排水に支障をたさないようにすることが望ましい。
【００１０】
ところで、、縦樋１４の水車収容部１８の上部には図１，図２（ロ）に示すように４つの傾斜面からなる雨水の出口を絞るための雨水収束部４２を設け、その下端部には流下してきた雨水の出口を狭くする流下口４６が形成されている。なお、流下口４６は水車１６の中心から一方に偏心し、水車１６の回転に最も望ましい位置に設けられている。
【００１１】
以上のように雨水の流下により水車１６が回転し、直流発電機３４が駆動され直流電力が発生することになる。そこで、発電機３４の電源取出部に接続された結線（図示省略）によりバッテリや電灯等の照明装置やラジオ等の電源接続部（いずれも図示省略）に電力を供給できるようにされている。
【００１２】
図３（イ）、（ロ）は雨水を濾過して飲用に供することできるようにする濾過器４８であり、タンク本体５０には底部から一定の高さ位置に目の粗い網状部材５２が設けられ、その上部及び周囲の壁面には隙間なく濾紙５４が配置される。その上には一定高さの木灰５６の層が設けられ、さらにその上にはやや目の細かい網状部材５８が配置される。その上には木の枯葉６０が一定高さに載置され、さらにその上には目の粗い網状部材６２が載置される。このように構成された濾過器４８には、上から雨水が注がれると枯葉６０の間を通り、さらに木灰５６の層中を浸透して、濾紙５４により濾過されて雨水はタンク本体５０内に貯まるようになる。これにより酸性雨でも木灰の作用により中和されて飲用可能な雨水、すなわち飲用水が得られることになる。
【００１３】
一番上の網状部材６２は注入する雨水の水勢が強すぎると枯葉６０が飛散することがあるので、これを防止する役割を有する。枯葉６０の層は雨水の下方への進行を緩やかにする役割を有する。枯葉６０の層の下方のやや目の細かい網状部材５８は上から流下する雨水の流れが早い場合には木灰５６が跳ね上がることがあるのでこれを防止すると共に枯葉６０の取り替えや掃除の際にやり易くする役割を有する。最下方の網状部材５２は濾紙５４及びその上に積まれる各資材を保持する役割を有するものである。
６１は蓋である。網状部材５８，６２は必須ではないが、あった方が好都合である。なお、場合によつては  木灰５６の層に代えて活性炭素の層を設け、さらに枯葉６０の層に代えて粒状・スティック状もしくはリング状のセラミックの層あるいはその他の塊状のセラミックの層を設けることも可能である。これらは、腐敗しない利点を有する。 また、場合によっては木灰に代えて草木灰を使用することも可能である。
【００１４】
タンク本体５０への雨水の取り入れは 図１に示すように、雨水取入用の溝状部材６４を使用して行う。すなわち、溝状部材６４は上部が解放された溝状の部材であり、流下口４６を内側に挟んで斜め方向に上下にスライド可能に案内され得ると共に停止位置を調節し得るようにされたものであり（案内構造や停止位置調節構造の図示省略）、溝状部材６４を最も上に押し上げれば、雨水全部が濾過されることになる。降水量の少ない場合にはこの状態で使用可能である。溝状部材６４を下げると雨水の取入れ量を加減できる。なお、タンク本体５０への雨水の取り入れはタンク本体５０の蓋６１に設けた穴に溝状部材６４の下端部を挿入して行う。
【００１５】
以上本考案の一実施例について説明したが、本考案はこのような実施例に何等限定されるものではなく、本考案の要旨を逸脱しない範囲において種々なる態様で実施し得ることはもちろんである。
【産業上の利用可能性】
【００１６】
前記実施例は主に災害時の利便性について説明したが、本考案はこれに限らず、自然エネルギーを有効利用する際にも適用可能である。
【符号の説明】
【００１７】
１０、１２  樋
１４   縦樋
１６   発電用水車
１８   水車収容部
２０    バケット
２４   軸
３４  直流発電機
４２  雨水収束部
４６  流下口
４８  雨水濾過器
５０  タンク本体
５２，５８，６２  網状部材
５４  濾紙
５６  木灰
６０  枯葉
６４  溝状部材
【図１】
0003205470.tif 000003
【図２】
0003205470.tif 000004
【図３】
0003205470.tif 000005